(57)【要約】【課題】雨水が通水部を通過できなくなったとしても、確実にオーバーフロー経路を確保できる取水継手を提供する。【解決手段】上下に竪樋８を接続する接続部２，３と、継手１内部に竪樋８を流下してきた雨水を取水する取水部４と、その取水部４で取水されなかった雨水を下側の竪樋８へ排水する通水部５と、側面に取水した雨水を排出する開口部６と、が形成された取水継手であって、上記開口部６が２つに仕切られており、２つに仕切られた開口部６のうち、一方のみが上記取水部４に連通した構成とする。２つに仕切った開口部６のうち、一方（上側開口６ａ）のみを取水部４に連通させて、もう一方（下側開口６ｂ）は取水部４に連通させないことで、例え落ち葉などによって、取水部４と同じ高さ位置に形成した通水部５が塞がれてしまったとしても、オーバーフロー経路を確実に確保することができる。【選択図】図１
2011174296.tif 000002
【特許請求の範囲】
【請求項１】
上下に竪樋を接続する接続部と、継手内部に竪樋を流下してきた雨水を取水する取水部と、その取水部で取水されなかった雨水を下側の竪樋へ排水する通水部と、側面に取水した雨水を排出する開口部と、が形成された取水継手であって、
上記開口部が２つに仕切られており、
２つに仕切られた開口部のうち、一方のみが上記取水部に連通していることを特徴とする取水継手。
【請求項２】
上記開口部が、上記取水部の底壁によって上下２つに仕切られていることを特徴とする請求項１に記載の取水継手。
【請求項３】
上記開口部から外側へ筒体が突設されており、その筒体も仕切板によって２つに仕切られて、上記取水部の底壁と筒体の仕切板が一続きに形成されていることを特徴とする請求項１又は請求項２に記載の取水継手。
【発明の詳細な説明】
【技術分野】
【０００１】
本発明は、竪樋の経路途中に設置されて、取水した雨水を雨水貯溜タンクに導く取水継手に関し、詳しくは取水とオーバーフローを一つの経路で行うことのできる取水継手に関するものである。
【背景技術】
【０００２】
近年、地球温暖化による気候変動で、日本の気候も亜熱帯地方に近づいてきている。それに伴い、乾期には殆ど雨が降らず、ダムや湖の水位が低下して水不足となるため、各地で水道水の給水制限が実施され、庭の植物に充分量の水を与えることも難しくなっている。その一方、短時間で非常に激しい雨が降る局地的豪雨も珍しくなくなってきており、このように一時に大量の雨が降ると、雨水の排水施設や処理場の容量をオーバーして、所謂、都市型洪水などを引き起こす危険性がある。
【０００３】
このような事情から、家屋の屋根に降った雨水を、竪樋の経路途中に設置された取水装置によって取水し、タンクに一時貯溜したのち、洗車や植物の水やり等に有効活用するようになってきている。
【０００４】
従来、取水装置によって竪樋から取水した雨水を貯溜するタンクにおいては、タンクが満水になった場合に、雨水を外部へと排出するためのオーバーフロー経路を取水経路とは別に設ける必要があった。しかしながら、このような方法では、取水経路とオーバーフロー経路の二つの経路が必要となり、部材が多く必要となるのでコストが嵩み、施工も面倒であった。
【０００５】
そこで、取水とオーバーフローを一つの経路で行える竪樋取水装置も提案されている（例えば特許文献１）。この特許文献１の竪樋取水装置は、竪樋外径寸法よりも大きな径を有する集水タンク内に、上部竪樋の下端と下部竪樋の上端を固定すると共に、竪樋の径よりも小さな径を有する水位調整管を該集水タンク内に摺動自在となるように設けたものである。
【０００６】
上記竪樋取水装置は、側面から貯水タンク側に向って取水パイプが形成されており、竪樋を流下してきた雨水は、当該パイプから貯水タンクへと流入するようになっている。一方、貯水タンクが満水になると、竪樋を流下してきた雨水は当該パイプから貯水タンクへ流入することができなくなって、行き場を失った雨水は、集水タンク内に設けられた水位調整管から下側の竪樋へオーバーフローするようになっている。
【先行技術文献】
【特許文献】
【０００７】
【特許文献１】特開２００１−２７９７２５号公報
【発明の概要】
【発明が解決しようとする課題】
【０００８】
上記のような、取水とオーバーフローを一つの経路（取水パイプ）で行える竪樋取水装置は、竪樋を流下するのが雨水だけの場合は問題が生じない。しかしながら、竪樋には雨水だけでなく、落ち葉や虫などが雨水に混じって流下してくることも多い。この落ち葉などが、上部竪樋の真下に位置する水位調整管を通過できなかった場合、水位調整管の開口を塞ぎ始め、更にその上から落ち葉などが堆積すると、竪樋から流下してきた雨水が水位調整管を通過できなくなってしまうことがあった。このように竪樋から流下してきた雨水が水位調整管を通過できなくなると、タンクが満水になっても雨水がオーバーフローできなくなってしまい、オーバーフローできなくなった雨水は、取水装置と上部竪樋の接続部から漏水したり、或いは、上部竪樋の内部に雨水が溜まり、やがて竪樋の上端に接続されている軒樋にまで逆流してしまうことになって、非常に大きな問題であった。特に、上記特許文献１の竪樋取水装置は、水位調整管の外径が竪樋の内径よりも小さいので（図１参照）、水位調整管が落ち葉などで詰まってしまうことが多かった。
【０００９】
本発明は上記の問題に鑑みてなされたもので、その解決しようとする課題は、通水部に落ち葉などが堆積して、雨水が通水部を通過できなくなったとしても、確実にオーバーフロー経路を確保できる取水継手を提供することにある。
【課題を解決するための手段】
【００１０】
上記目的を達成するため、本発明に係る取水継手は、上下に竪樋を接続する接続部と、継手内部に竪樋を流下してきた雨水を取水する取水部と、その取水部で取水されなかった雨水を下側の竪樋へ排水する通水部と、側面に取水した雨水を排出する開口部と、が形成された取水継手であって、上記開口部が２つに仕切られており、２つに仕切られた開口部のうち、一方のみが上記取水部に連通していることを特徴とするものである。
【００１１】
本発明の取水継手においては、上記開口部が、上記取水部の底壁によって上下２つに仕切られていることが好ましく、上記開口部から外側へ筒体が突設されており、その筒体も仕切板によって２つに仕切られて、上記取水部の底壁と筒体の仕切板が一続きに形成されているとより好ましい。
【発明の効果】
【００１２】
本発明の取水継手は、取水した雨水を排出する開口部を２つに仕切り、その２つに仕切った開口部のうち、一方のみを取水部に連通させることで、その取水部に連通しているほうが雨水貯溜タンクに雨水を導入するための取水経路となる。そして、雨水貯溜タンクが満水になると、連通していないもう一方が、行き場を失った雨水のオーバーフロー経路となる。このように本発明の取水継手は、２つに仕切った開口部のうち、一方のみを取水部に連通させて、もう一方は取水部に連通させないことで、例え落ち葉などによって、雨水を下側の竪樋へ排水する通水部が塞がれてしまったとしても、オーバーフロー経路を確実に確保することができるので、雨水貯溜タンクが満水になっても、オーバーフローできなくなった雨水が、取水装置と上部竪樋の接続部から漏水したり、竪樋の上端に接続されている軒樋に逆流してしまう心配はない。
【００１３】
また、上記開口部が、上記取水部の底壁によって上下２つに仕切られている取水継手は、取水部の底壁によって開口部を上下２つに仕切ることで、取水とオーバーフローがよりスムーズに行われるようになる。
【００１４】
特に、上記開口部から外側へ筒体が突設されており、その筒体も仕切板によって２つに仕切られて、上記取水部の底壁と筒体の仕切板が一続きに形成されている取水継手は、筒体を突設し、更に取水部の底壁と筒体の仕切板を一続きに形成することで、より明確に取水経路とオーバーフロー経路が仕切られて、取水部によって取水した雨水は、確実に開口部の一方より雨水貯溜タンクに導かれるようになり、また、雨水貯溜タンクよりオーバーフローしてきた雨水は、確実に取水部と連通していないもう一方の経路から下側の竪樋へと排出されるようになる。このように、取水経路とオーバーフロー経路を明確に仕切ることで、前述した作用効果がより顕著となる。しかも、取水経路が満水となっても、オーバーフロー経路と雨水貯溜タンク内は連通状態にあるので、該タンク内の空気がオーバーフロー経路を通って排出されて、取水がよりスムーズに行える。
【図面の簡単な説明】
【００１５】
【図１】本発明の一実施形態に係る取水継手の断面図である。
【図２】同取水継手の右側面図である。
【図３】同取水継手を設置した状態を示す概略図である。
【図４】本発明の他の実施形態に係る取水継手の断面図である。
【図５】本発明の更に他の実施形態に係る取水継手の断面図である。
【図６】本発明の更に他の実施形態に係る取水継手の断面図である。
【発明を実施するための最良の形態】
【００１６】
以下、図面を参照して本発明の具体的な実施形態を詳述する。
【００１７】
図１に示す本発明の取水継手１は、図３に示すように、竪樋８の経路途中に設置されて、家屋の屋根に降った雨水を雨水貯溜タンクＴに導入することで、乾期の水不足に備えると共に、豪雨時の都市型洪水の被害を少しでも軽減するために開発された合成樹脂製の継手である。
【００１８】
図１に示すように、この取水継手１の上部には、上側の竪樋８ａが差込み接続される上側接続部２が形成されており、取水継手１の下部には、下側の竪樋８ｂが差込み接続される下側接続部３が形成されている。
尚、本実施形態では竪樋８が円筒であるので、取水継手１も円筒形に形成されているが、竪樋８が角筒である場合は、取水継手１もそれに対応する形状に形成すればよいことは言うまでもない。
【００１９】
また、取水継手１の内部には、図１に示すように、上側の竪樋８ａを流下してきた雨水を取水する取水部４が形成されている。この取水部４は、取水継手１内部の略中間地点の内周面から内側へ向って張り出すように周設された底壁４ａと、その底壁４ａの先端から上方へ立設された立ち上がり壁４ｂからなる断面形状が略Ｌ字型の環状壁で、この取水部４によって、上側の竪樋８ａの内壁面に沿って流下してきた雨水を取水して、後述する開口部６（６ａ）より外部へ排出するようになっている。
尚、この取水部４を形成する底壁４ａに、雨水を下方に排出する孔径が３ｍｍ程度の水抜き孔（不図示）を穿孔してもよい。
【００２０】
図１に示すように、上記取水部４の内側は開口しており、その開口が、取水部４によって取水されなかった雨水を下側の竪樋８ｂへと排水する通水部５となっている。上側の竪樋８ａを流下してくる雨水が通常量の場合、雨水は上側の竪樋８ａの内壁面に沿って流下してくるので、取水継手１の内周面に形成された取水部４によって効率よく取水することができるが、豪雨時のように雨量が非常に多いときは、雨水が上側の竪樋８ａの内部を略満たして閉塞しながら流下してくるので、この通水部５を形成していなければ、次に説明する開口部６の排出容量をオーバーして上側接続部２から雨水が溢れ出してしまう恐れがある。そこで、この通水部５を取水部４と同じ高さ位置に形成することで、上側の竪樋８ａの内部を略満たして閉塞しながら流下してくる雨水は、通水部５から下側の竪樋８ｂへと直下し、上側接続部２から雨水が溢れ出してしまうことがなくなる。
【００２１】
また、図１、図２に示すように、取水継手１の右側面には、上記取水部４で取水した雨水を排出すると共に、雨水貯溜タンクＴが満水になった場合のオーバーフロー経路ともなる円形の開口部６が形成されている。即ち、この開口部６は、上記取水部４の底壁４ａによって上下２つに完全に仕切られて（開口部６の上側開口６ａと下側開口６ｂの開口面積は略同じ）、その２つに仕切られた開口部６のうち、上側開口６ａのみが取水部４に連通しており、もう一方の下側開口６ｂは取水部４と完全に分離されていて、上側開口６ａとは一切連通しないようになっている。このように開口部６を、取水部４の底壁４ａによって上下２つに完全に仕切ることで、取水部４と連通された上側開口６ａが、取水部４で取水した雨水を外部に排出するための経路（取水経路）となると共に、取水部４と連通していない下側開口６ｂが、雨水貯溜タンクＴが満水になった場合のオーバーフロー経路となって、取水部４で取水された雨水が下側開口６ｂから排出されることや、オーバーフローしてきた雨水が上側開口６ａから取水部４に流入することが殆どなくなる。
【００２２】
しかも、本発明の取水継手１は、上記作用効果をより顕著とするため、図１に示すように、上記開口部６から外側へ向って筒体７が突設されており、この筒体７も上記開口部６と同様に、仕切板４ａによって上下２つに完全に仕切られている。このように筒体７を上下２つに仕切る仕切板４ａは、取水部４の底壁４ａを外側へ向って延設することによって形成されたもので、従って、取水部４の底壁４ａと筒体７の仕切板４ａは同一部材（一続き）となっている。
尚、本実施形態では、筒体７を仕切る仕切板４ａ、即ち、取水部４の底壁４ａは、筒体７の先端まで形成されているが、必ずしも筒体７の先端まで形成する必要はなく、筒体７が長い場合などは途中まででもよい。
【００２３】
また、上記筒体７は、水平に突設してもよいが、ここでは取水効率を向上させるために３／１００〜１５／１００程度の水勾配が付与されている。この水勾配の値を大きくしすぎると、雨水貯溜タンクＴが満水になった場合に、雨水がオーバーフローしにくくなって、連結管９の内部に雨水が滞溜した状態が続くことになるので、筒体７の水勾配は、１５／１００程度までに抑えておく必要がある。そして、このように水勾配が付与された筒体７の外周に連結管９を差し込むことで、取水継手１と雨水貯溜タンクＴが連結される。このような筒体７を開口部６より外側へ突設すると、開口部６の上側開口６ａと下側開口６ｂが完全に分離されるので、取水部４で取水された雨水が下側開口６ｂから排出されることや、オーバーフローしてきた雨水が上側開口６ａから取水部４に流入することが皆無となる。従って、雨水貯溜タンクＴよりオーバーフローしてきた雨水が上側開口６ａを経由して取水部４に逆戻りすることがなく、通水部５に落ち葉などが堆積してその開口が塞がれてしまったとしても、オーバーフロー経路（下側開口６ｂ）は確実に確保されているので、取水継手１と上側の竪樋８ａの上側接続部２から漏水したり、竪樋８の上端に接続されている軒樋（不図示）にまで逆流してしまう心配がない。
【００２４】
尚、本実施形態の取水継手１は、開口部６から外側へ筒体７を突設し、更にその内部に仕切板４ａ（底壁４ａ）を形成することで、開口部６の上側開口６ａと下側開口６ｂが完全に仕切られて、互いに連通することが一切なくなり、取水経路とオーバーフロー経路が明確に分離されたものであるが、前述したように、取水継手１の側面に形成された開口部６は、取水部４の底壁４ａによって完全に仕切られているので、必ずしも筒体７の内部に仕切板４ａを形成する必要はなく、図４に示すように、筒体７内部の仕切板４ａを省略した取水継手１Ａであっても充分にその作用効果を奏する。この場合、筒体７は、水平に突設させると、開口部６の上側開口６ａから排出された雨水が筒体７から直接下側開口６ｂに排出される可能性があるので、ここでは確実に取水効率を向上させるために３／１００〜１５／１００程度の水勾配が付与されている。そして、筒体７は上下に仕切られていないので、開口部６の上側開口６ａから排出された雨水はスムーズに筒体７、連結管９を経由し、雨水貯溜タンクＴの内部に貯溜される。更に、筒体７も形成する必要はなく、図５に示すように、筒体７を省略した取水継手１Ｂであっても充分にその作用効果を奏する。この場合、開口部６に直接連結管９を接続するなどして使用される。
【００２５】
また、取水効率をより一層向上させるため、図６に示すように、筒体７０の根元部分（取水継手１側）を拡径した取水継手１Ｃも好ましい。このように筒体７０の根元部分を拡径する場合は、筒体７０の先端部分に連結管９を取付ける必要があるので、先端部分の外径はそのままにしておくことに留意する。このように根元部分が拡径された筒体７０の先端部分を縮径するには、図６に示すように、筒体７０の途中に段部７ｂを形成することで、その段部７ｂから先を縮径してもよいし、筒体７０の根元から先端にかけて徐々に縮径し、先端部分の外径を連結管９の内径に合致させるようにしてもよい。
尚、この実施形態の取水継手１Ｃのように、筒体７０が段部７ｂを境目に急に縮径されていると、大量の雨水を取水した際に、段部７ｂより先の筒体７０内で閉塞する恐れがあるので、仕切板４ａ（底壁４ａ）は段部７ｂよりも取水継手１側までしか形成されていない。その際、万が一、取水した雨水が逆戻りしないように、仕切板４ａの先端よりも少し雨水貯溜タンクＴ側に逆流防止片７ａが形成されている。
【００２６】
更に、本実施形態の取水継手１は、前述したように、上側接続部２、下側接続部３、取水部４、通水部５、開口部６、筒体７が一体に形成されたものであるが、上側接続部２が接続された上側部材と、下側接続部３、取水部４、通水部５、開口部６、筒体７が形成された下側部材とから構成された２部材からなる別体式の取水継手も好適に用いられる。
【００２７】
以上のような構成の取水継手１は、図３に示すように、竪樋８を雨水貯溜タンクＴよりも上側で切断、或いは、切欠くことで、竪樋８を上側の竪樋８ａと下側の竪樋８ｂに分離して竪樋８に接続される。そして、連結管９の一端を取水継手１の筒体７に接続すると共に、連結管９の他端を雨水貯溜タンクＴに接続することで、取水継手１と雨水貯溜タンクＴを連結して取水継手１の設置が完了する。
【００２８】
上記のように、本発明の取水継手１を竪樋８の経路途中に設置すると、家屋の屋根に降って竪樋８の内壁面に沿って流下してくる雨水の大半は取水部４によって取水されて、開口部６の上側開口６ａより筒体７、連結管９を経由し、雨水貯溜タンクＴの内部に貯溜される。その一方、雨水貯溜タンクＴが満水となって、行き場を失った雨水がオーバーフローしてきたとしても、オーバーフロー経路が確実に確保されているので、例え通水部５が落ち葉などで塞がれてしまったとしても、取水継手１と上側の竪樋８ａの上側接続部２から漏水したり、竪樋８の上端に接続されている軒樋（不図示）にまで逆流してしまう心配が皆無に等しくなる。
【符号の説明】
【００２９】
１，１Ａ，１Ｂ，１Ｃ  取水継手
２    上側接続部
３    下側接続部
４    取水部
４ａ  底壁（仕切板）
４ｂ  立ち上がり壁
５    通水部
６    開口部
６ａ  上側開口
６ｂ  下側開口
７，７０  筒体
７ａ  逆流防止片
７ｂ  段部
８    竪樋
８ａ  上側の竪樋
８ｂ  下側の竪樋
９    連結管
Ｔ    雨水貯溜タンク
【図１】
2011174296.tif 000003
【図２】
2011174296.tif 000004
【図３】
2011174296.tif 000005
【図４】
2011174296.tif 000006
【図５】
2011174296.tif 000007
【図６】
2011174296.tif 000008